(57)【要約】【課題】    なし【解決手段】  光起電アレイは、複数の縦長のレールおよび矩形の光起電モジュールを含む。各レールは押出し成形樹脂構造をもつことができ、互いに反対方向に開口する一対の溝を画定するように協働する、下部ベースおよび上部キャップを含むことができる。縦長のレールを支持構造上に取り付けることができ、互いに間隔を置き平行な関係で延びることができる。取り付け中、光起電モジュールのエッジを溝によって受けることができる。このように、光起電モジュールを、支持体表面から間隔を置いた関係で支持体表面上に取り付けることができる。
2005510074.tif 000002
【特許請求の範囲】
【請求項１】
光起電アレイであって：
支持体表面から上方向に突き出て、該支持体表面上に取り付けられ、かつ互いに一定の間隔をおき、かつ平行な関係で伸びている複数の細長いレール；
互いに反対方向に開いている一対の溝を形成するように協働する一の下部ベース、及び一の上部キャップとを含む、押出し成型樹脂構造を有する各レール；及び
該支持体表面から、一定間隔の関係で、該支持体表面の上に取り付けられるように、該レールの溝によって受けられるエッジを有する長方形の光起電モジュールを含む、光起電アレイ。
【請求項２】
各レールの該下部ベース、及び上部キャップが、分離した部品として、押出し成型されており、かつ互いに固定されて、反対方向に開いている一対の溝を規定する、請求項１に記載の光起電アレイ。
【請求項３】
該光起電モジュールが、互いに隣接する各対の該モジュールにより、複数の対となるよう配列され、かつ光起電モジュールの各対が、モジュールの隣接する各対から、該レールの延長された長さに沿って、一定間隔で配置され、その間に開口部を提供する、請求項１に記載の光起電アレイ。
【請求項４】
該光起電モジュールが、横の約２倍の長さの縦を有する細長い長方形の形態を有し、かつ光起電モジュールの各対は、互いに隣接したその縦に沿って伸びたエッジを有し、その結果、モジュールの各対が、一般的な正方形である、請求項３に記載の光起電アレイ。
【請求項５】
さらに、互いに一定の間隔で該複数のレールをおくように、該複数のレールの下部ベースの間に伸びている複数の横交差部材を含む、請求項１に記載の光起電アレイ。
【請求項６】
該横交差部材が、該光起電モジュールの間の開口部の中に配置される、請求項５に記載の光起電アレイ。
【請求項７】
さらに、該横交差部材によって支持される電気回線を含む、請求項５に記載の光起電アレイ。
【請求項８】
該横交差部材が、該電気回線を受けるような、上方向に開いた形態を有する、請求項７に記載の光起電アレイ。
【請求項９】
該横交差部材が、一の下部の床材を有し、かつ一対の側面が、互いの方向に集まる形態で、該下部の床から上方向に伸びており、かつ互いから、一定の間隔で開いた上部エッジを有する、請求項８に記載の光起電アレイ。
【請求項１０】
各レールの該下部ベース、及び上部キャップが、分離した部品として、押出し成型され、かつ互いに固定されて、反対方向に開いている一対の溝を規定する、請求項１に記載の光起電アレイであって；
各下部ベースが、該表面上に取り付けられる一の下部フランジ、該下部フランジから上方向に突き出している一のステム、及び該細長いレールの延長された長さに沿って伸びている上方向に開いたスロットを規定するような一のＴ型の上部先端を有し、
かつ各上部キャップが、一のステムを含むＴ型を有し、該ステムが、下方向に突き出ており、かつ該下部ベースのＴ型の上部先端にある該スロットによって受けられ、
及び各上部キャップが、該ステムから反対方向に広がった一の上部横木を有し、該下部ベースのＴ型の上部先端と協働して、互いから対向する方向に開いた一対の溝を規定し、該光起電モジュールのエッジを受け、該光起電モジュールが、該支持体表面上の該レールに取り付けられる、前記光起電アレイ。
【請求項１１】
各レールの該下部ベースの上部先端が、それぞれ該スロットの向かい合った側面に配置している一対の上方向に突き出た支えを有し、該レールに関して、該モジュールを平行に配置する、請求項１０に記載の光起電アレイ。
【請求項１２】
該細長いレールが、該下部ベースのＴ型の上部先端よりも長く、かつ該上部キャップの上部横木よりも長い、該細長い縦に沿った横幅を有する該下部ベースの下部フランジを備える、請求項８に記載の光起電アレイ。
【請求項１３】
該下部ベースのステムが、使用する樹脂を減らすため、波形模様を有する、請求項８に記載の光起電アレイ。
【請求項１４】
各レールの該下部ベース、及び上部キャップが、分離した部品として、押出し成型され、かつ互いに固定されて、対向して開いている一対の溝を規定し、各ベースが、支持体表面上に取り付けられる一の下端、該下端から上方向に突き出している一のステム、該細長いレールの延長された長さに沿って伸びている上方向に開いた一のスロットを規定している一のＴ型の上部先端、及び雨押さえを固定するため、下方向に伸びているフランジを含む該下部ベースの上部先端を含み；及び
各上部キャップが、一のステムを含むＴ型を有し、該ステムは、下方向に突き出し、かつ該下部ベースのＴ型の上部先端にある該スロットによって受けられ、及び各上部キャップが、該ステムから反対方向に広がっている一の上部横木を有し、該下部ベースのＴ型の上部先端と協働して、互いから反対方向に開いた一対の溝を規定し、該光起電モジュールのエッジを受け、該光起電モジュールが、該支持体表面上に取り付けられる、請求項１に記載の光起電アレイ。
【請求項１５】
さらに、該上部キャップと該下部ベースとを固定するための留め具を含む、請求項１０、または１４に記載の光起電アレイ。
【請求項１６】
該上部キャップが、細長い押出し成型された形態を含み、該形態は、該留め具を受けるようなドリル穴を中央に配列させることを容易にする、請求項１５に記載の光起電アレイ。
【請求項１７】
該細長いレールの下部ベース、及び上部キャップが、第一樹脂から押出し成型され、かつ該レールの溝が、該溝に受けられる該光起電モジュールのエッジの多様な厚さに合わせるように、該第一樹脂よりも柔らかい第二物質のパッドを含む、請求項１０、または１４に記載の光起電アレイ。
【請求項１８】
該下部ベースが、完全に該第一樹脂から押出し成型され、かつ該上部キャップが、該第一樹脂、及び該第二物質を構成する第二樹脂から同時押出し成型され、かつ該溝の中の上部横木に配置された該パッドを供給する、請求項１７に記載の光起電アレイ。
【請求項１９】
該下部ベースの上方向に開いているスロット、及び該上部キャップの下方向に突き出しているステムが、該下部ベースと、該上部キャップとを固定するような、結合する形態を有する、請求項１０に記載の光起電アレイ。
【請求項２０】
さらに、互いに一定の間隔で該複数のレールをおくように、該複数の該光起電モジュールの間の開口部の中にあり、該複数のレールの下部ベースのＴ型を有する上部先端間に支持され、かつ伸びている複数の横交差部材を含む、請求項１０、または１４に記載の光起電アレイ。
【請求項２１】
該横交差部材が、上方向に開いた形態を伴い、樹脂から押出し成型された細長い形態を有し、かつ該上方向に開いた横交差部材が、電気回線を受ける、請求項２０に記載の光起電アレイ。
【請求項２２】
該支持体表面が、該レールを取り付ける一の膜を有する屋根である、請求項１に記載の光起電アレイ。
【請求項２３】
さらに、該屋根の上の膜に、該レールの下部ベースを固定するような、結合を含む、請求項２２に記載の屋根光起電アレイ。
【請求項２４】
該結合が、細長いコネクターストリップを含み、コネクターストリップは、該レールの下部ベースにある開口部を通して伸びており、かつ該コネクターストリップが、該屋根の上の膜と固定される末端を有する、請求項２３に記載の屋根光起電アレイ。
【請求項２５】
光起電アレイであって：
支持体表面から上方向に突き出て、該支持体表面上に取り付けられ、かつ互いに一定の間隔をおき、かつ平行な関係で伸びている、複数の細長いレール；
互いに固定されて、かつ互いに反対方向に開いている一対の溝を規定するように協働する一の下部ベース、及び一の上部キャップを含む、押出し成型された樹脂構造を有する、各レール；
該支持体表面上に取り付けられる一の下部フランジ、該下部フランジから上方向に突き出している一のステム、該ステムと協働して、及び該細長いレールの延長された長さに沿って伸びている上方向に開いたスロットを規定する、一のＴ型の上部先端を含む、該下部ベース；
一のステムを含むＴ型を有し、該ステムが、下方向に突き出ており、かつ該下部ベースの上部先端にあるスロットによって受けられるような、該上部キャップ、及び該ステムから、反対方向に広がった一の上部横木を有し、該下部ベースのＴ型の上部先端と協働して、互いから反対方向に開いている一対の溝を規定する、上部キャップ；
該支持体表面から、一定間隔の関係で、該支持体表面上に取り付けられるように、該レールの溝によって受けられるエッジを有する、長方形の光起電モジュール、互いに隣接する各対の該モジュールにより、複数の対となるよう配列される、該光起電モジュール、及びモジュールの各隣接する対から、該レールの延長された長さに沿って、一定間隔で配置され、その間に開口部を提供する、光起電モジュールの各対；及び
互いに一定の間隔で該複数のレールをおくように、該光起電モジュールの下部ベースの間に伸びている横交差部材、及び該モジュールの隣接する対の間の開口部の中に配置された該横交差部材を含む、前記光起電アレイ。
【請求項２６】
光起電アレイであって：
支持体表面から上方向に突き出て、該支持体表面上に取り付けられ、かつ互いに一定の間隔をおき、かつ平行な関係で伸びている複数の細長いレール；
互いに固定され、かつ互いに反対方向に開いている一対の溝を形成するように協働する一の下部ベース、及び一の上部キャップを含む、押出し成型された樹脂構造を有する、各レール；
該支持体表面上に取り付けられる一の下部フランジ、該下部フランジから上方向に突き出している一のステム、及び該ステムと協働して、該細長いレールの延長された長さに沿って伸びている上方向に開いたスロットを規定する、一のＴ型の上部先端、及びそれぞれ該スロットの向かい合った側面に配置された一対の上方向に突き出た支えを有する、該Ｔ型の上部先端
を含む該下部べース；
一のステムを含むＴ型を有し、該ステムが、下方向に突き出ており、かつ該下部ベースの上部先端にある該スロットによって受けられるような、該上部キャップ、及び該ステムから反対方向に広がった一の上部横木を有し、該下部ベースのＴ型の上部先端と協働して、互いに反対方向に開いている一対の溝を規定する、該上部キャップ；
該支持体表面から、一定間隔の関係で、該支持体表面上に取り付けられるように、該レールの溝によって受けられるエッジを有する、長方形の光起電モジュール、互いに隣接する各対の該モジュールにより、複数の対となるよう配列される、該光起電モジュール、及びモジュールの各隣接する対から、該レールの延長された長さに沿って、一定間隔で配置され、その間に開口部を提供する、光起電モジュールの各対；及び
互いに一定の間隔で該複数のレールをおくように、該光起電モジュールの下部ベースのＴ型の上部先端の間に支持され、かつ伸びている横交差部材、及び該モジュールの隣接する複数の対の間の該開口部に配置された横交差部材を含む、前記光起電アレイ。
【請求項２７】
光起電アレイであって：
支持体表面から上方向に突き出て、該支持体表面上に取り付けられ、かつ互いに一定の間隔をおき、かつ平行な関係で伸びている複数の細長いレール；
互いに固定され、かつ互いに反対方向に開いている一対の溝を形成するように協働する一の下部ベース、及び一の上部キャップを含む、押出し成型された樹脂構造を有する、各レール；
完全に該第一樹脂から押出し成型され、かつ該支持体表面上に取り付けられる一の下部フランジ、該下部フランジから上方向に突き出している一のステム、及び該ステムと協働して、該細長いレールの延長された長さに沿って伸びている上方向に開いたスロットを規定する、一のＴ型の上部先端、及びそれぞれ該スロットの向かい合った側面に配置された一対の上方向に突き出た支えを有する、該Ｔ型の上部先端；
一のステムを含むＴ型を有し、該ステムが、下方向に突き出ており、かつ該下部ベースの上部先端にあるスロットによって受けられるような、該上部キャップ、該ステムから、反対方向に広がった一の上部横木を有し、該下部ベースのＴ型の上部先端と協働して、互いから反対方向に開いている一対の溝を規定する、上部キャップ、及び
該第一樹脂、及び該第一樹脂よりも柔らかい、ある第二樹脂から同時押出し成型され、かつ該溝の中の上部横木にパッドを供給する。該上部キャップ；
該支持体表面から、一定間隔の関係で、該支持体表面上に取り付けられるように、該レールの溝によって受けられるエッジを有する、長方形の光起電モジュール、互いに隣接する各対の該モジュールにより、複数の対となるよう配列される、該光起電モジュール、及びモジュールの各隣接する対から、該レールの延長された長さに沿って、一定間隔で配置され、その間に開口部を提供する、光起電モジュールの各対；及び
互いに一定の間隔で該複数のレールをおくように、該光起電モジュールの下部ベースのＴ型の上部先端の間に支持され、かつ伸びている横交差部材、及び該モジュールの隣接する複数の対の間の該開口部に配置された該横交差部材、上方向に開いた形態を有する該横交差部材、及び電気回線を受ける該横交差部材を含む、前記光起電アレイ。
【請求項２８】
支持体表面上に、光起電モジュールを展開する方法であって：
パネルの縦長の軸に沿って伸びている縦長のエッジ、及び該縦長のエッジの長さ以下の長さを有し、かつ実質的に、縦長の軸に垂直に伸びている横方向のエッジを有する一のパネル、及び該縦長の軸に沿って伸びている、一の付属部材
を含む、光起電モジュールを作成する方法；及び
該付属部材が、該支持体表面から分離されるように、実質的に、該縦長の軸に垂直な方向に沿って伸びている支持部分に、該付属部材を連結する方法を含む、前記展開方法。
【請求項２９】
該支持部分が、一のレールを含む、請求項２８に記載の展開方法。
【請求項３０】
さらに、該モジュールの縦長のエッジに、該付属部材を固定する方法を含む、請求項２８に記載の展開方法。
【請求項３１】
該縦長のエッジに、該付属部材を固定する方法は、該付属部材が、該縦長のエッジから離れる方へ突き出るように、かつ実質的に、該パネルの表面と平行になるように、該縦長のエッジ上に付属部材を配置する方法を含む、請求項３０に記載の方法。
【請求項３２】
該支持部分が、複数の付属部材、及び該支持体表面とのみ接触する、請求項２８に記載の展開方法。
【請求項３３】
該光起電モジュールが、該縦長の軸に沿って伸びている、第二縦長のエッジ、及び該第二縦長のエッジに沿って伸びているような第二付属部材を含み、かつさらに、該方法が、該縦長の軸に垂直な方向に沿って伸びている第二支持部分に、該第二付属部材を連結する方法を含む、請求項２８に記載の展開方法。
【請求項３４】
該支持部分に、該付属部材を連結する方法は、支持部分が、該横方向のエッジの一部分に沿って伸びており、該一部分が、該横方向のエッジの全体の長さよりも短くなるように、該支持部分に関して、該付属部材を配置する方法を含む、請求項２８に記載の展開方法。
【請求項３５】
支持体表面上に、光起電モジュールを展開する方法であって：
該付属部材が、縦長の軸に沿って伸びており、光起電モジュールを形成するように、一のパネルに平行である一対のエッジに付属部材を固定する方法；
実質的に該縦長の軸に垂直な方向に沿って伸びている支持部分に、該付属部材を連結する方法；及び
該パネルが該支持体表面から分離されるように、支持体表面に該支持部分を連結する方法を含む、前記展開方法。
【請求項３６】
該支持部分に該付属部材を連結する方法は、該パネルが該支持部分から分離されるように、該支持部分に関して、該付属部材を配置する方法を含む、請求項３５に記載の展開方法。
【請求項３７】
光起電アレイを展開する方法であって、該方法は：
各光起電モジュールが、該パネルの縦長の軸に沿って伸びている縦長のエッジ、及び該縦長のエッジの長さよりも短い長さを有し、かつ実質的に、該縦長の軸に垂直に伸びている横方向のエッジを有する一のパネルを備え、かつ付属部材が、該縦長のエッジに沿って伸びている、複数の光起電モジュールを作成する方法；及び
互いに一定の間隔をおき、かつ平行な関係にある該縦長の軸に対し、実質的に垂直な方向に沿って伸びている支持部分の上に付属部材を配置する方法；及び
該付属部材が該支持体表面から分離されるように、支持体表面に該支持部分を連結する方法を含む、前記展開方法。
【請求項３８】
複数の光起電モジュールを作成する方法が、該光起電モジュールの縦長のエッジに、該付属部材を固定する方法を含む、請求項３７に記載の展開方法。
【請求項３９】
複数の光起電モジュールを作成する方法が、各光起電モジュールを他の光起電モジュールから分離することができるように、該光起電モジュールを形成する方法を含む、請求項３７に記載の展開方法。
【請求項４０】
複数の光起電モジュールを含む、光起電アレイであって：
各モジュールが：
該パネルの縦長の軸に沿って伸びている縦長のエッジ、及び該縦長のエッジの長さよりも短い長さを有し、かつ実質的に、縦長の軸に垂直に伸びている横方向のエッジを有する一のパネル、及び該縦長の軸に沿って伸びている、一の付属部材を含み；
複数の支持部分が、支持体表面上に配置され、かつ実質的に、該縦長の軸に垂直な方向に沿って伸びており、各支持部分が、互いに一定の間隔をおき、かつ実質的に平行な関係であり；かつ
その中で、該付属部材が、少なくとも２つの支持部分に各光起電モジュールを連結させ、該パネルが、該支持部分から分離されるように、かつ該付属部材が、該支持体表面から分離されるようにする、前記光起電アレイ。
【請求項４１】
光起電アレイであって：
複数の支持部分が、支持体表面上に配置され、かつ支持軸に沿って伸びており、各支持部分が、互いに一定の間隔をおき、かつ実質的に平行な関係であり；
複数の光起電モジュールであって、各光起電モジュールが：
縦長のエッジ、及び該縦長のエッジの長さよりも短い長さを有し、かつ該縦長のエッジに垂直に伸びている横方向のエッジを有する一のパネル、及び各光起電モジュールの縦長のエッジに固定され、かつ該光起電モジュールの縦長のエッジが、実質的に該支持軸に垂直になるように、支持部分に連結される一の付属部材を有し；
その中で、該付属部材が該支持部分と連結されるとき、該パネルが、該支持部分から分離され、かつ該支持体表面から分離されることを含む、前記光起電アレイ。
【請求項４２】
光起電モジュールであって：
一のパネルが：
該パネルの縦長の軸に沿って伸びている縦長のエッジ、及び該縦長のエッジの長さより短い長さを有し、かつ実質的に、該縦長の軸に垂直に伸びている横方向のエッジ；及び
該パネルの縦長のエッジに沿って伸びている一の付属部材を含む、前記光起電モジュール。
【請求項４３】
複数の支持部分を含む、光起電アレイの展開システムであって：
複数の光起電モジュールであって、各モジュールが：
縦長のエッジ、及び該縦長のエッジの長さよりも短い長さを有し、かつ実質的に、該縦長のエッジに垂直に伸びている横方向のエッジを有する一のパネル、及び該縦長のエッジに沿って伸び、かつ該複数の支持部分の少なくとも一つに連結するように、配列された一の付属部材を有する、前記展開方法。
【発明の詳細な説明】
【技術分野】
【０００１】
本発明は、太陽光を受けて電気を発生させるように、アース、アース・パッド、または屋根などの支持体表面上に取り付けられる複数の光起電モジュールを含む光起電アレイに関する。
【背景技術】
【０００２】
光起電アレイを製造する重要な態様は、使用される光起電モジュールが、Foote他の米国特許第5,248,349号、Foote他の米国特許第5,372,646号、Foote他の米国特許第5,470,397号、Foote他の米国特許第5,536,333号、Powell他の米国特許第5,945,163号、およびPowell他の米国特許第6,037,241号に開示されるように製造される方法である。光起電モジュール自体を製造するのに使用される加工および装置に加えて、モジュールをアレイ内に取り付け、組み立てることは光起電業界では「システムの平衡」と言われ、重要である。光起電業界においてシステムの平衡を伴う従来技術の特許としては、Hawleyの米国特許第4,189,881号、Myersの米国特許第4,760,680号、Matlin他の米国特許第4,966,631号、Nath他の米国特許第5,092,939号、Matlinの米国特許第5,143,556号、Dinwoodieの米国特許第5,316,592号、Dinwoodieの米国特許第5,505,788号、Dinwoodieの米国特許第5,746,839号、Dinwoodie他の米国特許第6,061,978号、Stern他の米国特許第6,065,255号、およびMelchoirのドイツ特許第DE3611542号が挙げられる。Dinwoodieの上記第5,746,839号特許は、モジュールの下部表面に固定され、下部表面の下の開口領域および中に形成されると共に、光起電モジュールの少なくとも２つの側部に沿って延びる連絡開口部を画定して、開口領域を上部表面に流体結合させるような大きさをし、構成されたスペーサを備える光起電モジュールを有する光起電アセンブリを開示している。Melchoirの上記ドイツ特許第DE3611542号は、屋根の上に取り付けられ、屋根から上向きに離れて互いに隣接して取り付けられて、モジュールの下で空気が流れることを可能にする光起電モジュールを有する光起電アレイを開示している。
【発明の開示】
【発明が解決しようとする課題】
【０００３】
本発明は、太陽光を受けて電気を発生させるように、アース、アース・パッド、または屋根などの支持体表面上に取り付けられる複数の光起電モジュールを含む光起電アレイを提供することを目的とする。
【課題を解決するための手段】
【０００４】
改良型の光起電アレイは、アース、アース・パッド、屋根などの支持体表面上に取り付けられる複数の光起電モジュールを含む。
光起電アレイは、そこから上方向に突出し、互いに一定の間隔を置き、かつ平行な関係で延びる支持体表面上に取り付けられる複数の縦長のレールを含むことができる。各レールは、下部ベースおよび上部キャップを含む押出し成形樹脂構造を有し、ベースおよびキャップは互いに固定され、互いに反対の横方向に開口する一対の溝を画定するように協働する。光起電アレイはまた、支持体表面から一定間隔の関係で支持体表面の上に取り付けられるように、レールの溝によって受けられるエッジを有する矩形の光起電モジュールを含むこともできる。
【０００５】
各レールの下部ベースおよび上部キャップは、別の片として押出し成形され、対向し反対に開口する対の溝を画定するように互いに固定されていることが好ましい。
光起電モジュールは、互いに当接する各対のモジュールと対をなして配置されることが好ましく、各対の光起電モジュールはレールの延長された長さに沿って各隣接する対のモジュールから一定間隔で配置され、その間に開口部を提供する。開示した光起電モジュールは、縦長の矩形の形状をしており、その幅の約２倍の長さをしており、光起電モジュールの各対は、互いに当接される長さに沿った縦長のエッジを有する。したがって、モジュールの各対は、関連する対の縦長のレール間に延びるほぼ四角形の形状を有する。
【０００６】
光起電アレイは、レールを互いに一定間隔で配置するように、レールの下部ベース間に延びる横交差部材を備えることができる。これらの横交差部材は、光起電モジュール間で開口部内に配置される。光起電アレイの電気回線は、電気回線を受ける上向きに開口した形状を有する横交差部材によって支持される。より詳細には、横交差部材は、下部床材と、互いに向かって集束する形状で下部床材から上向きに延び、互いに一定間隔で配置された上部エッジを有する一対の側部とを有する。
【０００７】
上に説明したように、光起電アレイの縦長のレールは、２部品の下部ベースおよび上部キャップ構造を有することが好ましい。一実施形態では、各下部ベースは、支持体表面上に取り付けるための下部フランジと、下部フランジから上向きに突出するステムと、縦長のレールの縦長さに沿って延びる上向きに開口するスロットを画定するＴ字形の上部先端とを備える。各上部キャップは、Ｔ字形をしており、下向きに突出し、下部ベースのＴ字形の上部先端のスロットによって受けられるステムを含む。各上部キャップはまた、支持体表面上にレールによって取り付けられる光起電モジュールのエッジを受けるように、互いに反対方向に開口する一対の溝を画定する際、下部ベースのＴ字形の上部先端と協働するように、ステムと反対方向に延びる上部横木を有する。
【０００８】
各レールの下部ベースの上部先端は、モジュールをレールに対して水平に位置決めするように、スロットの反対の側部にそれぞれ配置される一対の上向きに突出する支えを有する。
縦長のレールは、その縦長さに沿った横幅が下部ベースのＴ字形の上部先端および上部キャップの上部横木よりも大きい下部ベースの下部フランジを有する。また、下部ベースのステムは、使用する樹脂を減らす波形模様を有する。
【０００９】
２部品レール構造の代替実施形態では、下部ベースは支持体表面上に取り付けるための下端と、下端から上向きに突出するステムと、縦長のレールの長さに沿って延びる上向きに開口するスロットを画定するＴ字形の上部先端とを有し、下部ベースの上部先端は、雨押えを固定するための下向きに延びるフランジを備える。
留め具は、２部品レール構造の上部キャップをレールの下部ベースに固定し、上部キャップは、留め具を受けるようにドリル穴の中心位置合わせを簡単にする、縦長の押出し成形構成を含む。
【００１０】
光起電アレイは、第一樹脂から押出し成形される２部品の縦長のレールの下部ベースおよび上部キャップを有し、厚さの変化に対応するように第一樹脂より柔らかい第二物質のパッドを備えるレールの溝を有する。より詳細には、下部ベースは第一樹脂から全体的に押出し成形され、上部キャップは第一樹脂および第二樹脂から共に押出し成形され、この第二樹脂は溝内で上部横木上に配置されるパッドを提供する第二物質を構成する。
【００１１】
２部品レール構造の別の実施形態では、下部ベースの上向きに開口するスロットおよび上部キャップの下向きに突出するステムは、上部キャップを下部ベースに固定する結合構成を有する。
光起電アレイの横交差部材は、レールを互いに一定間隔で配置するように光起電モジュール間の開口部内のレールの下部ベースのＴ字形の上部先端によって支持され、その間に延びている。これらの横交差部材は、上向きに開口する形状内で樹脂から押出し成形された縦長の形状をしており、前に説明したように、電気回線は上向きに開口する横交差部材によって受けられる。
【００１２】
開示した一使用法では、光起電アレイはレールが上に取り付けられる膜を有する屋根によって具体化される支持体表面を有する。また、レールの下部ベースを屋根の膜に固定する結合を使用することもできる。これらの結合は、レールの下部ベースと屋根上の膜の間の結合によって具体化することができ、レールの下部ベースと屋根上の膜の間の結合を自生的にすることができる。結合はまた、レールの下部ベースを摺動可能に受けるコネクター・スリーブを含むことができ、この結合の構造はまた、コネクター・スリーブを屋根の上の膜に固定する結合を含む。より詳細には、コネクター・スリーブは、屋根上の膜と同じ物質で作られ、コネクター・スリーブと屋根上の膜の間の結合は自生である。別の実施形態では、結合は縦長のコネクターストリップを含み、レールの下部ベースはコネクターストリップがそこを通って延びる開口部を有し、コネクターストリップは屋根の上の膜に固定される末端を有する。より詳細には、コネクターストリップは、屋根上の膜と同じ物質で作られ、コネクターストリップの末端は、屋根上の膜への固定を行う自生結合を有する。
【００１３】
別の態様では、光起電モジュールを支持体表面上に展開させる方法は、パネルの縦長の軸に沿って延びる縦長のエッジ、および縦長のエッジの長さより短い長さであり、縦長の軸にほぼ垂直に延びる横方向のエッジを有するパネルと、縦長のエッジに沿って延びる付属部材とを含む光起電モジュールを提供するステップと、付属部材が支持体表面から離れるように、縦長の軸とほぼ垂直の方向に沿って延びる支持部分に付属部材を結合させるステップとを含む。
【００１４】
別の態様では、光起電モジュールを支持体表面上に展開する方法は、光起電モジュールを形成するようにパネルの一対の平行エッジに付属部材を取り付けるステップであって、付属部材が縦長の軸に沿って延びるステップと、縦長の軸とほぼ垂直な方向に沿って延びる支持部分に付属部材を結合させるステップと、パネルが支持体表面から離れるように、支持体表面に支持部分を結合させるステップとを含んでいる。
【００１５】
別の態様では、光起電アレイを展開する方法は、パネルの縦長の軸に沿って延びる縦長のエッジ、および縦長のエッジの長さよりも長さが短く、縦長の軸とほぼ垂直に延びる横方向のエッジを有するパネルと、縦長のエッジに沿って延びる付属部材とをそれぞれ備える複数の光起電モジュールを提供するステップと、互いに一定間隔を置き、かつ平行な関係に、縦長の軸とほぼ垂直な方向に沿って延びる支持部分上に付属部材を位置決めするステップと、付属部材が支持体表面から離れるように、支持部分を支持体表面に結合させるステップとを含む。複数の光起電モジュールを提供するステップは、付属部材を光起電モジュールの縦長のエッジに取り付けるステップを含む。ある状況では、複数の光起電モジュールを提供するステップは、各光起電モジュールが他の光起電モジュールから離れることができるように、光起電モジュールを形成するステップを含むことができる。
【００１６】
別の態様では、光起電アレイは複数の光起電モジュールを含み、モジュールはそれぞれ、パネルの縦長の軸に沿って延びる細長のエッジおよび縦長のエッジの長さより長さが短い横方向のエッジを有すると共に、縦長の軸とほぼ垂直に延びるパネルと、縦長のエッジに沿って延びる付属部材とを有する。このアレイはまた、支持体表面上に位置決めされ、縦長の軸にほぼ垂直な方向に沿って延びる複数の支持部分を含み、支持部分はそれぞれ互いに一定間隔を置き、かつほぼ平行な関係にある。パネルが支持部分から離れ、付属部材が支持体表面から離れるように、付属部材は、各光起電モジュールを少なくとも２つの支持部分に結合させる。
【００１７】
別の態様では、光起電アレイは、支持体表面上に位置決めされ、支持体の軸に沿って延びる複数の支持部分を含み、支持部分はそれぞれ互いに一定間隔を置き、かつほぼ平行な関係にある。アレイはまた複数の光起電モジュールを含み、各光起電モジュールは、縦長のエッジおよび縦長のエッジの長さより長さが短い横方向のエッジをそれぞれ有し、縦長のエッジと垂直に延びるパネルと、光起電モジュールの縦長のエッジが支持体の軸にほぼ垂直になるように、各光起電モジュールの縦長のエッジに取り付けられ、支持部分に結合された付属部材とを備える。付属部材が支持部分に結合される場合、パネルは支持部分から離れ、付属部材は支持体表面から離れる。
【００１８】
別の態様では、光起電モジュールは、パネルの縦長の軸に沿って延びる縦長のエッジ、および縦長のエッジの長さより長さが短く、縦長の軸にほぼ垂直に延びる横方向のエッジを含むパネルと、パネルの縦長のエッジに沿って延びる付属部材とを備える。
【００１９】
別の態様では、光起電アレイ展開システムは、複数の支持部分と、縦長のエッジ、および縦長のエッジの長さより長さが短く、縦長のエッジにほぼ垂直に延びる横方向のエッジを有し、パネルをそれぞれ有する複数の光起電モジュールと、縦長のエッジに沿って延び、支持部分に結合するように構成された付属部材とを備える。
【００２０】
この方法は、付属部材をモジュールの縦長のエッジに取り付けるステップを含むことができる。付属部材を縦長のエッジに取り付けるステップは、付属部材が縦長のエッジから離れて、パネルの表面とほぼ平行に突出するように、付属部材を縦長のエッジ上に位置決めするステップを含む。
支持部分はレールを含むことができる。支持部分は、付属部材および支持体表面に接触することしかできない。
【００２１】
光起電モジュールは、縦長の軸に沿って延びる第二の縦長のエッジと、第二の縦長のエッジに沿って延びる第二の付属部材とを備えることができる。この方法はさらに、縦長の軸と垂直な方向に沿って延びる第二の支持部分に第二の付属部材を結合させるステップを含むことができる。
付属部材を支持部分に結合させるステップは、支持部分が横方向のエッジの全長より短い横方向のエッジの一部に沿って延びるように、支持部分に対して付属部材を位置決めするステップを含むことができる。ある実施形態では、付属部材を支持部分に結合させるステップは、パネルが支持部分から離れるように、支持部分に対して付属部材を位置決めするステップを含むことができる。
【００２２】
本発明の目的、特徴、および利点は、添付の図面に関連して、発明を実施するための好ましい実施形態の以下の詳細な説明から簡単に明らかになる。
【発明を実施するための最良の形態】
【００２３】
様々な図面において同様の参照記号は、同様の要素を示す。
図１および２を参照すると、本発明により構成された光起電アレイの２つの異なる実施形態がそれぞれ、２０および２０’によって示され、各アレイ内に含まれるいくつかの矩形の光起電モジュール２２を除いて、互いに同一である。より詳細には、図１に示す光起電アレイ２０は、２４個の光起電モジュール２２を含むような６×４のモジュール寸法をしており、図２の光起電アレイ２０’は６０個の光起電モジュール２２を含むような６×１０の寸法をしている。図１の実施形態では、光起電アレイ２０は、屋根２６によって具体化される支持体表面２４上に取り付けられている。図２の実施形態では、光起電アレイ２０’は支持体表面２４’上に取り付けられ、この表面は屋根、アース、アース・パッド、またはあらゆる他の支持体表面であってよもい。
【００２４】
続いて図１および２を参照すると、光起電アレイ２０、２０’の各実施形態は、そこから上向きに突出し、互いに一定間隔を置き、かつ平行な関係で延びる、関連する支持体表面２４、２４’上に取り付けられた複数の縦長のレール２８を含む。図４に示すレール２８はそれぞれ、互いに反対の方向に開口する一対の溝３４を画定するように協働する、下部ベース３０および上部キャップ３２を含む、押出し成形樹脂構造を有する。矩形の光起電モジュール２２は、呼び寸法では約４インチである、それと一定間隔の関係で支持体表面２４の上に取り付けられるように、レール２８の溝３４によって受けられるエッジ３６を有するが、この間隙は変えることができ、通常は寸法で約２〜６インチの範囲である。
【００２５】
図示する好ましい実施形態では、縦長のレール２８は、反対に開口する溝３４を画定するように、互いに別々に押出し成形され、互いに固定される下部ベース３０および上部キャップ３２を備える２部品構造を有する。キャップ３２に関連するベースを固定する前に、光起電モジュール２２のエッジ３６を受けるように、支持体表面上にベース３０を最初に位置決めすることによって、この２部品構造により光起電アレイの組立てが簡単になる。また、ベース３０およびキャップ３２を一体構造として押出し成形することも可能であるが、光起電アレイの組立てはその後、達成するのがいくらか難しくなる。というのは、光起電モジュールのエッジを、２部品構造で行うことができる方法で下向きに配置するのではなく、溝に横方向に挿入しなければならないからである。
【００２６】
図１および２に示す光起電モジュール２２は、互いに当接する各対のモジュールと対３８をなして配置されることが好ましく、光起電モジュールの各対３８は、間に開口部４０を提供するように、レールの延長された長さに沿って各隣接する対から一定間隔を置いて配置される。より詳細には、図１および２に示す光起電モジュール２２は、その幅の約２倍の長さをもつ縦長の矩形形状、呼び寸法で約４フィート×２フィートである。光起電モジュール２２の各対３８は、図示するように互いに当接する長さに沿って縦長のエッジ３６を有し、それによって各対のモジュールは、図示するように呼び寸法で約４フィート×４フィートであるほぼ四角形の形状をしている。したがって、モジュール幅の短いエッジ３６が、縦長のレール２８によって受けられ、支持される。これが、通気を簡単にするために、モジュール領域がどんな所与の寸法の場合でも、開口部４０の寸法を増加させる際に好ましい構造であるが、光起電モジュールはまた、モジュールの支持体を支持体表面上に設けるように、縦長のレール２８によって当接されるより短い幅、およびそれによって受けられるより長い長さをもつこともできることを理解すべきである。
【００２７】
図１〜３および５に示すように、各実施形態の光起電アレイは、レールを互いに一定間隔を置いて配置するように、レール２８の下部ベース３０間に延びる横交差部材４２を含む。図３によく示すように、横交差部材４２は、光起電モジュール２２間で開口部４０内に配置され、これ以下により詳しく説明するように、自己タッピングねじなどの留め具４３によって下部ベース３０に固定される。図６によく示す電気回線４４は、電気回線を受ける、上向きに開口する形状をもつ横交差部材４２によって支持されている。より詳細には、図６に示す横交差部材４２は、下部床材４６と、互いに向かって集束する形状の傾斜で下部床材から上向きに延び、回線を横交差部材内に、またそれから通過させることができるように互いに一定間隔を置いて配置された上部エッジ５０を有する一対の側部４８を有し、それによってアレイの光起電モジュールの全てを発生する電力を集めるために適当な回路内に結合することができる。横交差部材の側部４８の傾斜構造により、抑制力を光起電アレイに提供する曲がりが生じる。
【００２８】
図４を参照すると、縦長のレール２８はそれぞれ、２部品構造の下部ベース３０を有し、この構造は支持体表面２４上に取り付けるための下部フランジ５２と、下部フランジ５２から上向きに突出するステム５４と、縦長のレールの延長された長さに沿って延びる上向きに開口するスロット５８を画定するＴ字形の上部先端５６とを備えている。
【００２９】
続けて図４を参照すると、また、縦長のレール２８はそれぞれ、下向きに突出し、下部ベース３０のＴ字形の上部先端５６内にスロット５８によって受けられるステム６０を含む、Ｔ字形状を備える２部品構造の上部キャップ３２を有する。上部キャップ３２はまた、支持体表面２４上にレール２８によって取り付けられた光起電モジュール２２のエッジ３６を受けるように、互いに反対方向に開口する一対の溝３４を画定する際に、下部ベースのＴ字形の上部先端と協働するように、ステム５４から反対方向に延びる上部横木６２を有する。
【００３０】
さらに図４を参照すると、各レール２８の下部ベース３０は、光起電アレイの組立ての際に、光起電モジュールを水平に位置決めするように、スロット５８の対向する側部上に配置された一対の上向きに突出する支え６４を有する。より詳細には、下部ベース３０は最初、支持体表面に固定され、それによって光起電モジュール２２をその上に下向きに配置することができ、支え６４がレールの縦方向に対して横方向に水平位置決めを行うことができる。その後、以下により詳しく説明するようにキャップ３２を下部ベース３０に固定して、効率的な方法で光起電アレイの組立てを終了することができる。
【００３１】
また、図４では、下部ベース３０のステム５４が、使用する樹脂の量を減らすように、長さに沿って押出し成形された波形模様６５を有することに注目する。さらに、図４では、縦長のレール２８は、下部ベースのＴ字形の上部先端５６および上部キャップ３２の上部横木６２よりも、その長さに沿った横幅が大きい下部ベース３０の下部フランジ５２を有し、それにより取付の際の安定性が提供される。
【００３２】
図１１を参照して、縦長のレール２８’の変更実施形態は、急勾配の屋根上で使用する特定の用途を備えた構造を有する。より詳細には、このレールの実施形態の下部ベース３０’は、支持体表面２４上に取り付けられ、上部先端５６’に集束する形状でそこから上向きに延びる下端５２を含む、ほぼ尖った形状の断面をしている。上部先端５６’では、下部ベース３０’は前に説明した実施形態と同じ上向きに開口するスロット５８と、さらに前に説明した支え６４を有する。下部ベースの上部先端５６’はまた、支持体表面２４に下向きに延び、その後隣接するレールに横方向に延び、上向きに延びる雨押え６７を固定するための一対の下向きに延びるフランジ６６を有し、それによってレール間に縦長の風雨に耐えるシールが提供される。関連する座ぐり穴内のねじを使用して、下部ベース３０’を支持体表面に固定することができる。この実施形態で使用される押出し成形されたキャップ３２は、前に説明した実施形態と同じである。
【００３３】
図３および４に示すように、留め具６８は上部キャップ３２を下部ベース３０に固定し、一般に適切な自己タッピングねじによって具体化される。上部キャップ３２は、横木６２の対向する端部間で中心線に沿って縦長の押出し成形された構成７０を含む。この押出し成形された構成７０により、ドリル穴７２（図４）の中心位置合わせが簡単になり、それによってレールの長さに沿って適切な間隔を置いて配置される留め具６８を受ける。
【００３４】
続いて図４を参照すると、縦長のレールの下部ベース３０および上部キャップ３２は両方とも、剛性ポリ塩化ビニルなどの第一樹脂から押出し成形され、レールの溝３４は、溝に受けられる光起電モジュールのエッジ３６の厚さ変化に対応するように、第一樹脂より柔らかい第二物質のパッド７４を含む。より詳細には、下部ベース３０は第一樹脂から全体的に押出し成形され、上部キャップ３２は第一樹脂および可撓性ポリ塩化ビニルなどの第二樹脂から共に押出し成形され、この第二樹脂は第二物質を構成し、溝３４内で上部横木６２上に配置されるパッド７４を提供する。
【００３５】
図１０に示す別の実施形態では、レール２８は下部ベース３０の上向きに開口するスロット５８と、上部キャップをスナップ動作によって下部ベースに固定するための結合構成７６および７８を備える上部キャップ３２の下向きに突出するステム６０とを有する。
【００３６】
図５に示すように、横交差部材４２は、レール２８の下部ベース３０のＴ字形の上部先端５６によって支えられ、その間に延び、図３に示すように、隣接する対の光起電モジュール２２間で開口部４０内に配置されている。これらの横交差部材４２は、前に説明したような上向きに開口する形状を備える、剛性ポリ塩化ビニルなどの樹脂から押出し成形された縦長の形状を有し、電気回線４４は、図示するように、また図６に関連して前に説明したように、上向きに開口した横交差部材によって受けられる。
【００３７】
図５に示すように、横交差部材４２はその末端が、留め具４３によって下部ベース３０のＴ字形の上部先端５６上に支持され、これに固定されている。これらの横交差部材４２により、組立て中にレール２８を互いに適切な一定間隔を置いて配置すること、および組立て後にレールを取付位置に支持することが簡単になる。
また、縦長のレール２８の溝３６内にスペーサを使用して、光起電モジュールの対３８を適切に互いに一定間隔を置いて配置することを保証することができる。これらのスペーサは、光起電アレイの恒久的な部品として残ることができる、または上部キャップ３２を下部ベース３０に最終的に固定する前に取り除くことができる。
【００３８】
光起電アレイは多くの応用例では、あらゆる固定またはバラスト（ballast）を抑制機能を与えるのに必要とすることなく、関連する支持体表面２４によって取り付けられる縦長のレール２８を有することができる。したがって、図４に示すレール２８は単に図示する支持体表面２４上にあり、光起電アレイを取り付けることができる。また、下部ベースを支持体表面に固定するため、結合を提供することもできる。
図７に示すように、前に説明した支持体表面２４は屋根であってもよく、屋根はポリ塩化ビニル、エチレンプロピレンジエンモノマー（ethylene propylene diene monomer）、塩素化ポリエチレン、ゴムなどの異なる材料である膜８０、またはアスファルトあるいはコール・タール・ピッチ（coal tar pitch）およびフェルトのビルトアップ屋根（BUR）を有してもよい。
【００３９】
図７〜９に示すように、光起電アレイはまた、レールの下部ベース３０と屋根の膜８０の間の結合を有することができる。これらの結合は、レールの下部ベースのフランジ５２と膜の間の結合８２であってもよく、膜８０がベースと同じ物質である場合に最も簡単に行われる熱結合によって提供することができるのと同様に、自生である。図８に示すように、図示する下部フランジ５２などでレールの下部ベース３０を摺動可能に受けるコネクター・スリーブによって結合を与えることも可能であり、結合はコネクター・スリーブを屋根の膜８０に固定する結合８６を含む。コネクター・スリーブ８４と膜８０の間のこのような結合８６は自生であり、同じ材料で最も簡単に行われる熱結合によって提供することができ、屋根の膜とコネクター・スリーブの両方を提供することができる。
【００４０】
図９に示すように、レールと屋根の膜の間の結合はまた、コネクターストリップ８８を含むことができ、レール２８の下部ベース３０はコネクターストリップがそこを通って延びる開口部９０を有し、コネクターストリップは末端９２が屋根上の膜８０に固定されている。より詳細には、コネクターストリップ８８は、屋根上の膜８０と同じ材料で作られており、コネクターストリップの末端９２は、熱溶接などによってそれを屋根の膜に固定する自生結合９４を有する。
【００４１】
図１２〜１４を参照すると、光起電アレイ１２００は、６×１０列で配置された６０個の光起電モジュール１２０５を含む。各モジュール１２０５は、パネル１４００の縦長の軸１４１０に沿って延びる縦長のエッジ１４０５と、縦長の軸１４１０にほぼ垂直に延びる横方向のエッジ１４１５とを有するパネル１４００を含む。横方向のエッジ１４１５は長さが、縦長のエッジ１４０５の長さより短い。アレイ１２００は、支持体表面（図１の表面２４など）上に位置決めされた支持部分１２１５を含む。縦長のレール２８のような支持部分１２１５を、押出し成形樹脂構造で作ることができる。
【００４２】
また図１５および１６を参照すると、モジュール１２０５は、パネル１４００の縦長のエッジ１４０５に沿って延びる付属部材１５００を有する。付属部材１５００には、縦長のエッジ１４０５から突出する表面１５０５が形成され、パネル１４００の表面とほぼ平行である。ほぼ平行な位置決めは、完全な平行の２０度以内、１５度以内、５度以内、または１度以内であってもよい。この配置により、以下に詳細に説明するように、付属部材１５００と支持部分１２１５の間の結合を簡単にすることができる。アレイ１２００の重量を少なくするため、付属部材１５００を、縦長のエッジ１４０５に沿って延びる中空領域１５１０を有するように形成する。付属部材１５００を、例えばアルミニウムなどのあらゆる適切な材料で作ることができる。他の材料としては、他の金属、プラスチック、およびガラスが挙げられる。付属部材１５００の材料を、パネル１４００および／または支持部分１２１５の機械的または電気的性質に基づいて選択することができる。したがって、例えば付属部材１５００の材料を、パネル１４００の熱膨張率に合うように選択することができる。
【００４３】
また、図１７〜２０を参照すると、付属部材１５００はモジュール１２０５の縦長のエッジ１４０５に取り付けられて、以下に論じるように、支持部分１２１５にモジュール１２０５を結合させる。付属部材１５００を、接着剤またはあらゆる適切な技術を使用して、縦長のエッジ１４０５に取り付けることができる。付属部材１５００は、単一のパネル１４００の縦長のエッジの長さだけ延びる。したがって、各モジュール１２０５は２個の付属部材１５００を有する。
【００４４】
光起電アレイ１２００の展開は、支持部分１２１５が縦長の軸１４１０にほぼ垂直な方向に沿って延びるように、支持部分１２１５を支持体表面に結合させるステップを含む。さらに、各支持部分１２１５は、他の支持部分１２１５と間隔を置き、ほぼ平行な関係である。その後、各付属部材１５００は関連する支持部分１２１５上に位置決めされている。このように、横方向のエッジ１４１５が互いに当接し、縦長のエッジ１４０５が開口部１３００または１３０５によって互いに離れるように、モジュール１２０５は光起電アレイ１２００内に配置される。
【００４５】
モジュール１２０５の横方向エッジ１４１５を支持部分１２１５の当接表面１９００に当接させることにより、付属部材１５００を関連する支持部分１２１５上に位置決めすることができる。その後、追加の支持体を提供するため、支持部分１２１５のねじ穴１９１０内に嵌合するような大きさのねじ１９０５を使用して、付属部材１５００を支持部分１２１５に取り付けることができる。
【００４６】
アレイ１２００の配置にはいくつかの利点がある。例えば、光起電モジュールが付属部材１５００を備えて形成されているので、アレイ１２００の展開が簡単になる。光起電モジュールを予め製造することができる。その後、光起電モジュールおよび支持部分を含む展開システムの出荷の際、インストーラ（installer）は、支持部分を支持体表面上に簡単に位置決めし、その後光起電モジュールを支持部分上に位置決めすることができる。インストーラは、他のモジュールを持ち上げるまたは位置決めする必要なく、一度に一つのモジュールをインストールすることができる。さらに、インストーラは長いトラックまたはレール内にモジュールをスライドさせる必要はなく、モジュールを支持部分上に単に位置決めまたは配置する。
【００４７】
さらに、組立ての際、アレイ１２００を通して自由に空気を流すのを簡単にするため、付属部材１５００は支持部分１２１５の比較的小さな領域に接触し、支持体表面から離れる（すなわち、接触していない）。さらに、モジュールは縦長のエッジ間の開口部で配置される。また、空気を流すのが簡単になる。というのは、パネルが互いに離れる支持部分から離れており、モジュールが支持体表面から離れているからである。
【００４８】
また、モジュールの露出した縦長のエッジは付属部材１５００によって支持されているので、付属部材１５００は、空気の自由な流れを可能にしながら、光起電モジュールに構造的完全性を提供する。横方向のエッジは、アレイが展開されると互いに当接するので、追加の構造支持体から利益は受けない。
他の実施は、頭記の特許請求の範囲内にある。
例えば、図２１に示すように、付属部材を中実な棒２１００として形成することもできる。
【００４９】
支持部分を、縦長のレール２８の下部ベース３０などの縦長のレールの部分のように形成することもできる。支持部分を、支持体表面に縦長のレール２８を結合することに関して詳細に述べたのと同じ方法で、支持体表面に結合することができる。
開口部１３００および１３０５は異なる幅をしていてもよく、または一方の開口部の幅はもう一方の開口部の幅より大きくてもよい。
支持体表面の寸法およびアレイの必要なエネルギー出力にしたがって、光起電アレイをあらゆる適切な数の光起電モジュールおよび支持部材で形成することができる。
【００５０】
モジュール展開システムのため、光起電アレイを傾斜アレイとして形成することができ、モジュールの一末端が隣接するモジュールの末端にわずかに重なる。このようなシステムが、例えば、米国特許第5,746,839号に示されている。
アレイは、アレイの少なくとも一末端上に翼を含むことができる。例えば、翼は支持構造に対して傾斜した面を有する棒であってもよい。翼は、支持構造の表面に沿って延びることができ、パネルの平面の上に突出することができる。翼は、アレイの領域内で空気流を変更して、アレイを支持構造上に保持する力を作り出す。
本発明の好ましい実施形態を詳細に説明したが、本発明が関連する業界に通じた者なら、頭記の特許請求の範囲によって規定されるような様々な代替の設計および実施形態が理解できるだろう。
【図面の簡単な説明】
【００５１】
【図１】屋根によって具体化されたように図示される支持体の表面上に取り付けられる光起電モジュールを含む、本発明により構成された光起電アレイの一実施形態を示す斜視図である。
【図２】光起電モジュールの数が図１の実施形態より多い、本発明により構成された光起電アレイの別の実施形態の上面図である。
【図３】光起電アレイの構造を示す、図１および２に示す光起電アレイの拡大上面図である。
【図４】光起電アレイの縦長のレールがエッジを受けることにより光起電モジュールを支持する方法を示す、図３の線４−４の方向に沿った断面図である。
【図５】横交差部材が、レール間に間隙および支持体を提供するように、縦長のレールの下部ベース間に延び、これらに結合される方法を示す、図３の線５−５の方向に沿った部分断面図である。
【図６】横交差部材の構造を示す、図３の線６−６の方向に沿った断面図である。
【図７】縦長のレールの下部ベースの下部フランジを屋根の膜に結合することができる方法を示す部分図である。
【図８】下部ベースのフランジを屋根の膜に固定するスリーブを含む、図７と同様であるが、別の実施形態の図である。
【図９】レールの下部ベースが、コネクターストリップによって屋根の膜に固定される別の方法を示す斜視図である。
【図１０】縦長のレールの上部キャップが、結合構成によって下部ベースに固定される、図４と同様であるが、別の実施形態の図である。
【図１１】急勾配の屋根で使用される特定の有用性を有する縦長のレールの別の実施形態を示す図である。
【図１２】光起電アレイの平面図である。
【図１３】図１２の光起電アレイの一部の拡大平面図である。
【図１４】図１２の光起電アレイに使用される光起電モジュールの平面図である。
【図１５】図１４の断面１５−１５に沿った、光起電モジュールの断面図である。
【図１６】図１５の光起電モジュール内の付属部材の一部の拡大斜視図である。
【図１７】図１５の光起電モジュールに結合される支持部材の平面図である。
【図１８】図１７の断面１８−１８に沿った、支持部材および光起電モジュールの断面図である。
【図１９】図１８の拡大断面図である。
【図２０】図１７の支持部材の一部および光起電モジュールの拡大斜視図である。
【図２１】図１５の光起電モジュールで使用できる、付属部材の一部の拡大斜視図である。
【図１】
2005510074.tif 000003
【図２】
2005510074.tif 000004
【図３】
2005510074.tif 000005
【図４】
2005510074.tif 000006
【図５】
2005510074.tif 000007
【図６】
2005510074.tif 000008
【図７】
2005510074.tif 000009
【図８】
2005510074.tif 000010
【図９】
2005510074.tif 000011
【図１０】
2005510074.tif 000012
【図１１】
2005510074.tif 000013
【図１２】
2005510074.tif 000014
【図１３】
2005510074.tif 000015
【図１４】
2005510074.tif 000016
【図１５】
2005510074.tif 000017
【図１６】
2005510074.tif 000018
【図１７】
2005510074.tif 000019
【図１８】
2005510074.tif 000020
【図１９】
2005510074.tif 000021
【図２０】
2005510074.tif 000022
【図２１】
2005510074.tif 000023
【国際調査報告】
2005510074.tif 000024
2005510074.tif 000025
2005510074.tif 000026
2005510074.tif 000027
2005510074.tif 000028